(57)【要約】【課題】親器と子器との間での信号配線は不要で、照明器具の取付工事が簡単となる通過型連動照明システムを提供することである。【解決手段】通路上に、人体検知可能な２つの親器１Ａ，１Ｂとしての各照明器具と、２つの親器間に少なくとも１つの子器１Ｃとしての各照明器具とを設置した通過型連動照明システムであって、人が通路上の一方側から他方側へ移動していく過程で、一方側の親器１Ａが人体検知して自ら点灯すると共に、親器１Ａが無線で点灯指令を出して前記３つの子器１Ｃ-1〜１Ｃ-3及び他方側の親器１Ｂに伝達し、この点灯指令に基づいて前記３つの子器１Ｃ-1〜１Ｃ-3及び他方側の親器１Ｂが連動して点灯し、その後に他方側の親器１Ｂが人体検知して自ら消灯すると共に、親器１Ｂが無線で消灯指令を出して子器１Ｃ-1〜１Ｃ-3及び前記一方側の親器１Ａに伝達し、この消灯指令に基づいて子器１Ｃ-1〜１Ｃ-3及び前記一方側の親器１Ａか連動して消灯する。【選択図】図１
2015122216.tif 000002
【特許請求の範囲】
【請求項１】
通路上に、人体検知可能な２つの親器としての各照明器具と、前記２つの親器間に少なくとも１つの子器としての各照明器具とを設置した通過型連動照明システムにおいて、
前記２つの親器の各々は、人体を検知する人感検知部と、該人感検知部の人体検知に基づく指令を無線で送受信する無線通信部と、前記一方の親器が人体を検知して点灯したとき点灯指令を無線でその親器の前記無線通信部から送信させることによって前記他方の親器及び前記子器を連動して点灯させ、その後に前記他方の親器が人体を検知して消灯したとき消灯指令をその親器の前記無線通信部から送信させることによって前記一方の親器及び前記子器を連動して点灯させる制御を行う制御部とを含み、
前記子器は、前記親器からの前記人体検知情報を無線で受信する無線通信部と、該無線通信部で受信した前記人体検知情報に基づいて、前記子器を点灯又は消灯させる制御を行う制御部とを含む
ことを特徴とする通過型連動照明システム。
【請求項２】
前記親器における前記制御部は、前記人感検知部による人体検知と同時に同類の前記他方の親器及び前記子器に対して、前記点灯指令または前記消灯指令を前記無線通信部により無線で相手先指定無しのブロードキャストで送信させることを特徴とする請求項１に記載の通過型連動照明システム。
【請求項３】
前記２つの親器及び前記子器は、周辺の照度が点灯に必要な照度(閾値)にまで下がったかを検知するために、周辺の照度を検出する照度センサを備える照度検知部をさらに有したことを特徴とする請求項１又は２に記載の通過型連動照明システム。
【請求項４】
前記２つの親器の各々は、前記一方の親器の前記人感検知部が人体を検知することによって前記２つの親器及び前記子器が点灯している状態で、前記他方の親器の前記人感検知部が人体を検知した時点でタイマー動作を開始することによって前記２つの親器及び前記子器を消灯するためのタイミングを計るための消灯タイマーを有したことを特徴とする請求項１乃至３のいずれか１つに記載の通過型連動照明システム。
【請求項５】
前記２つの親器の各々は、前記一方の親器の前記人感検知部が人体を検知することによって前記２つの親器及び前記子器が点灯している状態で、前記一方の親器の前記人感検知部が再度人体を検知した時点でタイマー動作を開始し、予め設定された所定時間後に前記一方の親器をリセットさせるリセットタイマーを有したことを特徴とする請求項１乃至３のいずれか１つに記載の通過型連動照明システム。
【請求項６】
前記２つの親器の各々は、前記一方の親器の前記人感検知部が人体を検知することによって前記２つの親器及び前記子器が点灯可能な状態で、前記一方の親器の前記人感検知部が人体を検知した時点でタイマー動作を開始し、予め設定された所定時間後に前記２つの親器及び前記子器を消灯させる強制消灯タイマーを有したことを特徴とする請求項１乃至３のいずれか１つに記載の通過型連動照明システム。
【発明の詳細な説明】
【技術分野】
【０００１】
本発明は、親器、子器を含む複数の照明器具を人体検知によって連動点灯及び連動消灯させる通過型連動照明システムに関する。
【背景技術】
【０００２】
従来、人体検知にて１つの照明器具を一定時間点灯させるスイッチ２個を３路結線する電子スイッチは周知である。  
階段を照明する方法として１個の照明器具を天井に取り付け、２個のスイッチで制御する３路結線は図９に示すように従来からよく知られている。
【０００３】
図９では、人が１階から２階に上がりたい場合には、３路スイッチＡの摺動端子０を端子１から端子３に切り替えると、天井に取り付けた照明負荷Ｌの両端は電気的に交流電源ＡＣに直列接続されて点灯する。人が２階に上がった後は、３路スイッチＢを端子３から端子１に切り替えることにより照明負荷Ｌの両端は電気的に交流電源ＡＣと不導通となって消灯する。
【０００４】
図１０は、人体から放射される赤外線を検知して天井に取り付けた照明器具を自動制御する特許文献１で開示されている自動スイッチの３路結線を示している。
【０００５】
図１０では、例えば人感センサPED-Aが人体を検知すると、制御部１２５Ａは所定時間のタイマー信号を生成してトライアックTRACをタイマーオンさせる。これによって、交流電源ＡＣから天井に取り付けた照明負荷Ｌを通り、トライアックTRAC-A，電流検知部１３０Ｂを通して負荷電流（点灯電流）が流れる。電流検知部１３０Ｂは負荷電流を検出すると、その電流が流れている期間、電流検知信号を制御部１２５Ｂに送り、自動スイッチ１１０Ｂの制御部１２５Ｂはその電流検知信号の期間、トライアックTRAC-Bをオンにする。トライアックTRAC-Bのオンによって、交流電源ＡＣからトライアックTRAC-B，電流検知部１３０Ａを通り、照明負荷Ｌに負荷電流（点灯電流）が流れる。この負荷電流は電流検知部１３０Ａにて検出され、その電流検知信号が自動スイッチ１１０Ａの制御部２５Ａへ送られることで、制御部１２５ＡはトライアックTRAC-Aを人感センサPED-Aの検知出力と同時に電流検知信号によってオンすることになる。これは、人感センサ付き自動スイッチ１１０Ｂ側の人感センサPED-Bが人体を検知した場合も同様となる。
【０００６】
この従来例の技術では、足の不自由な人や、老人等階段の上り下りに時間がかかる人とそうでない人が同居する家庭においては、点灯時間を十分長くしておくことが必要となる。このような場合、照明灯が必要以上に長く点灯するケースがあるため、高価な人体検知型３路結線型の自動スイッチを取り付けても経済的ではなくなる欠点があった。
【０００７】
階段や廊下等のもう１つの照明方法として、階段や廊下の壁面を照明する方法があり、このための通路専用の壁面を照らす照明器具は階段等の通路に複数個設置することが望ましい。この壁面での照明器具は前者の天井灯が、通路全体を照明するのに対し、部分照明となるので、通路の出入り口側に設置された壁面を照明する照明器具のいずれかが点灯した時、複数個の全ての照明器具が連動して同時に点灯するようにしたい。このような場合、親器となる２つの照明器具と、子器となる複数の照明器具との間で、信号線を配線する工事は建物の構造上から困難であるという場合がある。
【先行技術文献】
【特許文献】
【０００８】
【特許文献１】特許４１３４１２５号公報
【特許文献２】特許３５９６３０９号公報
【発明の概要】
【発明が解決しようとする課題】
【０００９】
そこで、本発明は上記の問題点を解決するものであって、親器、子器を含む複数の照明器具を、親器での人体検知と、該人体検知に基づく連動信号の無線送受信とによって、親器及び子器間での連動点灯及び連動消灯をさせることができ、しかも親器と子器との間での信号線の配線は不要で、照明器具の取り付け工事が簡単となる通過型連動照明システムを提供することを目的とするものである。
【課題を解決するための手段】
【００１０】
本発明の一態様の通過型連動照明システムは、通路上に、人体検知可能な２つの親器としての各照明器具と、前記２つの親器間に少なくとも１つの子器としての各照明器具とを設置した通過型連動照明システムにおいて、前記２つの親器の各々は、人体を検知する人感検知部と、該人感検知部の人体検知に基づく指令を無線で送受信する無線通信部と、前記一方の親器が人体を検知して点灯したとき点灯指令を無線でその親器の前記無線通信部から送信させることによって前記他方の親器及び前記子器を連動して点灯させ、その後に前記他方の親器が人体を検知して消灯したとき消灯指令をその親器の前記無線通信部から送信させることによって前記一方の親器及び前記子器を連動して点灯させる制御を行う制御部とを含み、前記子器は、前記親器からの前記人体検知情報を無線で受信する無線通信部と、該無線通信部で受信した前記人体検知情報に基づいて、前記子器を点灯又は消灯させる制御を行う制御部とを含む。
【図面の簡単な説明】
【００１１】
【図１】本発明の一実施形態の通過型連動照明システムに適用される親器としての照明器具の概略構成を示すブロック図である。
【図２】図１の親器における各部の構成を具体的に示す回路ブロック図である。
【図３】本発明の一実施形態の通過型連動照明システムに適用される子器としての照明器具の概略構成を示すブロック図である。
【図４】図３の子器における各部の構成を具体的に示す回路ブロック図である。
【図５】本発明の一実施形態の通過型連動照明システムにおける親器及び子器の概略的な配置構成を示すブロック図である。
【図６】本発明の一実施形態の通過型連動照明システムにおける一人の人間の通路上での動き方の第１の例とそのときの照明状態を説明する図。
【図７】本発明の一実施形態の通過型連動照明システムにおける一人の人間の通路上での動き方の第２の例とそのときの照明状態を説明する図。
【図８】本発明の一実施形態の通過型連動照明システムにおける一人の人間の通路上での動き方の第３の例とそのときの照明状態を説明する図。
【図９】従来の手動スイッチによる３路配線構成を示す図。
【図１０】従来例の人感センサ付き自動スイッチによる３路配線構成を示す図。
【発明を実施するための形態】
【００１２】
以下、本発明の実施の形態について図面を参照して説明する。  
図１は本発明の一実施形態の通過型連動照明システムに適用される親器としての照明器具の概略構成を示すブロック図であり、図２は 図１の親器における各部の構成を具体的に示す回路ブロック図である。
【００１３】
また、図３は本発明の一実施形態の通過型連動照明システムに適用される子器としての照明器具の概略構成を示すブロック図であり、図４は図３の子器における各部の構成を具体的に示す回路ブロック図である。
【００１４】
通過型連動照明システムは、同じ構成の一対の親器１Ａ，１Ｂと、該親器１Ａ，１Ｂ間に適宜の距離(間隔)をおいて直線的に配設される少なくとも１つの子器１Ｃとを有して構成される。親器１Ａ，１Ｂと、少なくとも１つの子器１Ｃとによる配列構成の例は、図５に示される。なお、２つの親器と少なくとも１つの子器は、通路上において直線的に配列される場合に限らず、やや曲線的な配列であってもよい。そして、通過型連動照明システムにおける２つの親器及び少なくとも１つの子器を含む複数の照明器具は、例えば２．４ＧＨｚまたは９５０ＭＨｚの無線通信が可能な空間領域内に配置される。２つの親器としての照明器具の各々は無線通信式の人感センサ付き照明器具であるが、子器としての少なくとも１つの照明器具は人感センサを持たない無線通信式の照明器具である。
【００１５】
図１において、親器としての各照明器具１Ａ，１Ｂの各々は、交流電源部１０と、直流電源部２０と、照明部３０と、人感検知部４０と、照度検知部５０と、タイマー部７１ａと、無線通信部６０と、制御部７０と、を有する。
【００１６】
交流電源部１０は、商用交流電源ＡＣからの交流電源電圧を入力し、電源ラインフィルタを通してノイズ成分を除去して出力する。  
直流電源部２０は、交流電源部１０からの交流電源電圧を直流電源電圧に変換する。
【００１７】
直流電源部２０は、２つの第１及び第２の直流電源回路２１，２２から構成される。第１の直流電源回路２１は、ＬＥＤ照明などの照明部３０へ供給する照明用直流電源電圧(例えば１５Ｖ)を生成する。また、第２の直流電源回路２２は、第１の直流電源回路２１からの直流電源電圧(例えば１５Ｖ)を分圧しかつ安定化した低い直流電源電圧(例えば３Ｖ)を生成する。第２の直流電源回路２２からの直流電源電圧(例えば３Ｖ)は、例えば人感検知部４０、照度検知部５０、制御部７０、無線通信部６０の電源電圧として用いられる。
【００１８】
照明部３０は、周辺に照明光を照射する照明灯３１と、該照明灯３１に直列に接続して照明灯３１への照明電流の供給をオン・オフするスイッチ部３２とを備える。照明灯３１としては例えばＬＥＤを複数個(図２では５個)直列接続したものが用いられる。スイッチ部３２のオン期間を制御して調光点灯することも可能である。
【００１９】
人感検知部４０は、人体を検知する人感センサ４１と、該人感センサ４１の出力を増幅する増幅部４２(図２参照)と、該増幅部４２の出力から一人の人間の人体検知に対応した１パルスを生成して出力する１パルス生成部４３(図２参照)とを備えている。
【００２０】
人感センサ４１は、例えば、逆向きの極性を持って接続される二組の電極対を備えた焦電型赤外線センサが用いられ、人体からの赤外線が両極に当たる光の量に偏りが発生すると差分の出力として電圧が検出されるものである。
【００２１】
照度検知部５０は、周辺の照度が点灯に必要な照度(閾値)にまで下がったかを検知するために、周辺の照度を検出する照度センサ５１を備える。
【００２２】
タイマー部７１ａは、照明部３０が点灯指令に基づいて点灯している状態で、人感検知部４０が人体を検知したときに、該照明部３０を消灯するためのタイミングを計るためのタイマーであって(図６参照)、制御部７０を構成する例えばマイコン内のプログラムによるタイマーであってもよいし、制御部７０によって制御される別体のタイマーであってもよい。
【００２３】
無線通信部６０は、例えば無線モジュール６１で構成され、２つの親器及び少なくとも１つの子器を含む複数の照明器具で連動して同時点灯するために、一方の親器１Ａの人感検知部４０が人体を検知したときに、一方の親器１Ａの制御部７０で生成した点灯指示命令又は消灯指令を他方の親器１Ｂ及び子器１Ｃの各照明器具に無線通信で送信したり、或いは、他方の親器１Ｂでの人体検知に基づいた同様な指令を無線通信で受信したりする。
【００２４】
制御部７０は、例えばマイコン７１(図２参照)で構成され、人感検知部４０とタイマー部７１ａの各出力を用いて点灯及び消灯の指示命令を生成して照明部３０の点灯状態(点灯又は消灯)を制御すると共に、前記点灯及び消灯の指示命令を無線通信部６０に適合させる通信制御を行う。照明部３０の点灯及び消灯の制御は、マイコン７１からの点灯及び消灯に対応したオン・オフ信号を用いてスイッチ部３２をオン・オフすることで実行される。無線通信部６０を構成する無線モジュール６１への適合は、非同期型シリアルインターフェース(以下、ＵＡＲＴと呼ぶ：Universal Asynchronous Receiver Transmitterの略)通信に適合させることで実現できる。ＵＡＲＴ通信を行うことで、親器１Ａ(又は１Ｂ)のマイコン７１から点灯指令、消灯指令のほかにも複数の種類の伝達内容を無線通信部６０を介して他の親器や子器に対して無線通信することが容易に可能となる。
【００２５】
上記の構成の通過型連動照明システムにおいては、親器１Ａ，１Ｂ及び子器１Ｃの照明器具の点灯及び消灯の制御の起動は、焦電型赤外線センサを利用した人体検知回路としての親器１Ａ，１Ｂに設けた人感検知部４０の人体検知に基づいて行われる。また、親器１Ａ，１Ｂ及び子器１Ｃには２．４ＧＨｚまたは９５０ＭＨｚの近距離通信無線モジュールが組み込まれており、親器１Ａ又は１Ｂは人体検知と同時に照明器具自体の照明灯３１を点灯すると共に、通過型連動照明システムを構成する他方の親器及び子器の照明器具に対し、図５の細い実線(又は細い一点鎖線)のように相手先指定無しのブロードキャスト方式で点灯指令又は消灯指令を無線で伝達する。なお、相手先指定無しのブロードキャスト方式で指令を無線で伝達するほかに、相手先指定で指令を無線で伝達したり、親器１Ａ，１Ｂ及び子器１Ｃが配列された順序(例えば図５の配列順)で順次に隣接する機器に指令を無線で伝達することも可能である。
【００２６】
無線を受信した通過型連動照明システムの全ての他の照明器具は、それぞれの照明負荷としての照明灯(例えばＬＥＤ群)３１を点灯する。このように通過型連動照明システムを構成する親器１Ａ，１Ｂ及び子器１Ｃの各照明器具が独立しているため、子器の設置数に制限がないので、長い廊下や階段に子器を増設して、無線が届く範囲で自由に通過型連動照明システムを構築することができる。
【００２７】
人体を検知した親器１Ａ，１Ｂの一方の照明器具は無線にて点灯指令し、これをもう一方の親器及び子器の照明器具が受信して指令に従った動作を行うことから、親器１Ａ，１Ｂ及び子器１Ｃを含む照明器具が設置されている無線環境下を人が通過する限り、全ての照明器具が点灯状態にでき、又は消灯状態にもできる。
【００２８】
以下に本実施形態の通過型連動照明システムにおける照明器具の一実施例を、図２の回路図を参照してより詳細に説明する。  
直流電源部２０は、第１及び第２の電源回路２１，２２を有する。
【００２９】
第１の電源回路２１は、ダイオードブリッジＤＢ１で構成される全波整流回路２１１と、図示しないスイッチングトランスＴＦ１とスイッチングＩＣ１とで構成されるスイッチングレギュレータ２１２とを備える。交流電源部１０からの交流電源電圧をダイオードブリッジＤＢ１で直流化した電源電圧をスイッチングトランスＴＦ１(図示略)の２次側の昇圧コイル側で巻き数比に比例した直流電圧Ｖ２として取得し、その取得した直流電圧Ｖ２がＬＥＤ照明用直流電源として電源出力端子Ｔ０，Ｔ２を経て照明部２０へ供給される。本実施例ではＬＥＤ５個の直列電源１５Ｖが得られるようにスイッチングトランスＴＦ１の巻き数を設定している。また、スイッチングトランスＴＦ１の２次側の低圧コイル側では直流電圧Ｖ１が得られ、次段の第２の電源回路２２へ入力電源電圧として供給される。
【００３０】
第２の電源回路２２は、レギュレータ２２１と、その入出力側にそれぞれ接続したコンデンサＣ１，Ｃ２と、を備えている。第２の電源回路２２の電源出力端子Ｔ１，Ｔ２からは、人感検知部用、制御部用、照度検知部用及び無線通信部用の３Ｖ電源電圧が得られる。
【００３１】
照明部３０は、５個の照明用ＬＥＤの直列接続したＬＥＤ照明部３１と、ＬＥＤ電流制限用の抵抗Ｒ１と、ＬＥＤに流れる電流をオン・オフするスイッチトランジスタＱ１及び制御信号入力用抵抗Ｒ１，Ｒ２で構成されるスイッチ部３２と、を備える。トランジスタＱ１のオン、オフにより点灯、消灯を制御できると共に、トランジスタＱ１にてそのスイッチングの導通(オン)期間を制御することで、ＬＥＤを調光点灯することもできる。
【００３２】
人感検知部４０は、焦電型赤外線センサＰＥＤ１で構成される人感センサ４１と、増幅部４２と、１パルス生成部４３と、を備える。人感検知部４０の出力は、制御部７０のマイコン７１の入力端子に入力される。
【００３３】
前記増幅部４２は、焦電型赤外線センサＰＥＤ１の出力を約４０ｄｂ増幅する第１の増幅部と、この第１の増幅部の出力をさらに約２０ｄｂ増幅する第２の増幅部と、を備えて構成されている。
【００３４】
人感検知部４０における１パルス生成部４３は、前記増幅部４２で増幅された人体検知出力を２つのウィンドウコンパレータにて人体検知出力を２値化する。焦電型赤外線センサでは、一人の人体検知出力は複数のパルス出力になってしまうため、このまま情報処理すると、複数の人体を検出したと誤報することになるので、ウィンドウコンパレータ出力を積分回路と第１のシュミットインバータとで矩形波に変形させ、微分回路と第２のシュミットインバータにて１パルスに変換する。これを更に第３のシュミットインバータにて正パルスに変換して出力している。このようにすれば、一人の人体検知出力は１パルスとして制御用マイコン７１に入力することが出来る。
【００３５】
照度検知部５０は、照度センサ５１としてのフォトダイオードＰＤ１と、該フォトダイオードＰＤ１のアノード・アース点間に並列接続されたコンデンサＣ３及び抵抗Ｒ３と、を備えている。照度検知部５０は、周辺の照度が点灯に必要な照度(閾値)にまで下がったかを検知するために、周辺の照度を検出するものであるため、照明器具が配置される空間が常に一定照度以下の暗い環境にあるときには、不要としてもよい。
【００３６】
無線通信部６０は、２．４ＧＨｚまたは９５０ＭＨｚの近距離通信無線モジュール６１で構成されている。直接拡散方式による送信であり、送信出力約１ｍＷ程度の近距離通信である。無線モジュール６１と制御用マイコン７１間は前述のＵＡＲＴで通信を行う。
【００３７】
無線モジュール６１は、マイコン７１に送信する信号を出力する送信端子ＴＸと、マイコン７１から受信する信号を入力する受信端子ＲＸと、通信制御用マイコン６１１と、パターン化したアンテナ６１３と、アンテナ６１３で送受信する信号を処理する無線路６１２と、を備えている。
【００３８】
制御部７０は、例えば８ビットのマイコン７１で構成される。  
親器１Ａ，１Ｂの人感検知部４０が人体検知することで人体検知信号を出力した時、マイコン７１は無線モジュール６１にＵＡＲＴ通信にて負荷点灯指令を伝送する。
【００３９】
無線モジュール５１がＵＡＲＴによる伝送信号を受信すると、無線モジュール６１から無線にて負荷点灯指令を各照明器具に対し伝送する。同時に、マイコン７１内の点灯期間制御用タイマー(消灯タイマー、リセットタイマー、或いは、強制消灯タイマー)が起動する。
【００４０】
図３は本発明の一実施形態の通過型連動照明システムに適用される子器としての照明器具の概略構成を示すブロック図であり、図１のブロック図から人感検知部４０を削除したものてなっている。  
図４は図３の子器における各部の構成を具体的に示す回路ブロック図であり、図２のブロック図から人感検知部４０を削除したものてなっている。  
図５は本発明の一実施形態の通過型連動照明システムにおける親器及び子器の概略的な配置構成を示すブロック図である。
【００４１】
廊下や階段等の通路上に、人感センサ４１(ＰＥＤ)、無線通信部６０(図示略)及び制御部７０(図示略)を備えた２つの親器１Ａ，１Ｂの各照明器具を配設し、親器１Ａ，１Ｂ間に無線通信部６０及び制御部７０を備えた３つの子器１Ｃ-1，１Ｃ-2，１Ｃ-3の各照明器具を配設している。無線通信部６０は通信制御用マイコン６１１を有し、制御部７０は制御用マイコン７１を有している。
【００４２】
例えば、階段の一階側に親器１Ａ，二階側に親器１Ｂが配設され、２つの親器１Ａ，１Ｂ間に複数台の子器１Ｃ-1，１Ｃ-2，１Ｃ-3が配設されて構成されている。  
２つの親器１Ａ，１Ｂ、３つの子器１Ｃ-1，１Ｃ-2，１Ｃ-3の各機器の電源は独立して商用電源ＡＣ１００Ｖから供給を受ける。
【００４３】
人が前記通路上の一方側から他方側へ移動していく過程で、一方側の親器１Ａが人体検知することで自ら点灯すると、親器１Ａが無線(電波)(図５の細い実線)で点灯指令を出して前記３つの子器１Ｃ-1，１Ｃ-2，１Ｃ-3及び他方側の親器１Ｂに伝達し、この点灯指令に基づいて前記３つの子器１Ｃ-1，１Ｃ-2，１Ｃ-3及び他方側の親器１Ｂが連動して点灯し、その後に前記他方側の親器１Ｂが人体検知することで自ら消灯すると、親器１Ｂが無線(電波)(図５の細い一点鎖線)で消灯指令を出して前記子器１Ｃ-1，１Ｃ-2，１Ｃ-3及び前記一方側の親器１Ａに伝達し、この消灯指令に基づいて前記子器１Ｃ-1，１Ｃ-2，１Ｃ-3及び前記一方側の親器１Ａか消灯する。なお、図５上に示した細い実線(矢印)は、親器１Ａから無線(電波)で点灯指令が出された状態を示し、同図上に示した細い一点鎖線(矢印)は、親器１Ｂから無線(電波)で消灯指令が出された状態を示している。
【００４４】
廊下や階段等の通路上に、人体検知可能な２つの親器としての照明器具を配設し、さらに親器間に少なくとも１つの子器としての照明器具を配設し、どちらか一方の親器が人体検知して点灯すると、前記子器及び他方の親器が連動して点灯し、その後に前記他方の親器が人体検知して消灯すると、前記子器及び一方の親器が連動して消灯することができるようにした通過型連動照明システムを実現することができる。しかも、人体検知に基づく連動信号の伝達は、無線通信によって行うので、親器と子器との間での信号線の配線は不要となり、照明器具の取り付け工事は極めて簡単になる。
【００４５】
図６〜図８は本発明の一実施形態の通過型連動照明システムにおける一人の人間の階段等の通路上で３通りの動き方に対する照明動作を説明する図である。２人以上の場合は更に複雑になるが、本発明の主体はマイコンのソフトウェアではないので、省略する。
【００４６】
図６〜図８における通過型連動照明システムは、一人の人が一階(１Ｆ)から上へ階段を上がっていく際の人の動きと各階の親器の照明器具の点灯状態を説明している。
【００４７】
図６では、一人の人が一階(１Ｆ)から二階(２Ｆ)に階段を上がっていく際に、上り口の一階(１Ｆ)付近に設置された人感センサ付き親器(以下、１Ｆ親器)が人体検知すると、その１Ｆ親器が点灯し且つ点灯指令を無線で送信することにより、階段の中段付近に設置された子器及び二階(２Ｆ)に設置された人感センサ付き親器(以下、２Ｆ親器)が連動して点灯する。その後、更にその人が二階(２Ｆ)にまで上って２Ｆ親器が人体検知すると、その２Ｆ親器に設けられている消灯タイマーが動作を開始し、予め設定された所定時間後にその２Ｆ親器が消灯し且つ消灯指令を無線で送信することにより、前記子器及び前記１Ｆ親器が連動して消灯する。
【００４８】
図７では、一人の人が一階(１Ｆ)から二階(２Ｆ)に階段を上がっていく際に、上り口の一階(１Ｆ)付近に設置された１Ｆ親器が人体検知すると、その１Ｆ親器が点灯し且つ点灯指令を無線で送信することにより、階段の中段付近の子器及び二階(２Ｆ)の２Ｆ親器が連動して点灯する。その後、その人が二階(２Ｆ)の２Ｆ親器で人体検知される以前の段階で一階(１Ｆ)へ引き返す(Ｕターンする)と、点灯状態のその１Ｆ親器が再度人体検知することによって、該１Ｆ親器に設けられている強制消灯タイマーとしてのリセットタイマーが動作を開始し、予め設定された所定時間後にその１Ｆ親器がリセットされることによって１Ｆ親器が消灯し且つ消灯指令を無線で送信することにより、前記子器及び前記２Ｆ親器が連動して消灯する。
【００４９】
図８では、或る人がたまたま階段を上らずに１Ｆ親器が設置された階段一階(１Ｆ)の上り口付近を通過することによって１Ｆ親器が人体検知してしまった場合は、人が通り過ぎてしまうために、図７のように再び１Ｆ親器で検知されたり、図６のように２Ｆ親器で検知されたりすることがなく、一向に消灯信号が発生せず、１Ｆ親器、子器及び２Ｆ親器が連動点灯した状態のままとなる。そこで、１Ｆ親器が一度人体を検知した時点で、１Ｆ親器に設けてある強制消灯タイマーが動作を開始し、予め設定してあるタイムアップ時間がくると１Ｆ親器が消灯し且つ１Ｆ親器が消灯指令を無線で送信することにより、前記子器及び前記２Ｆ親器が連動して消灯することができる。
【００５０】
このように、一人の場合の動きに対し、３通りのケースを考慮する必要があることから、親器間の交信に種々のデータ伝送の必要性からマイコンのＵＡＲＴ機能を利用することは有効である。
【００５１】
以上述べたように本発明の実施形態によれば、親器Ａ、Ｂと複数の子器間で信号線を配線する工事は建物の構造上から難しいという場合がある。この問題を解決するため、親器、子器に無線モジュールを内蔵することで解決する手段を提供する。
【００５２】
人感信号を処理し、照明を制御するマイコンＩＣ６のシリアル通信ＵＡＲＴのＴＸ／ＲＸ端子と無線モジュールＷＭ１内のマイコンのシリアル通信ＵＡＲＴのＲＸ／ＴＸ間を機器の内部で接続することで目的を達成できる。  
無線モジュールＷＭ１を介してやり取りされる信号は前述の有線タイプと全く同じ内容となる。
【００５３】
以下に、本願の無線式の通過型連動消灯システムに対応する参考例(関連技術)として、既出願の有線式の通過型連動消灯システムの概要を説明する。  
通過型連動照明システムは、階段の一階側の親器Ａ，二階側の親器Ｂ間に複数台の子器群Ｃから構成される。
【００５４】
親器Ａ，親器Ｂ及び子器群Ｃの各機器の電源は独立して商用電源ＡＣ１００Ｖから供給を受ける。  
親器Ａ，親器Ｂ及び子器群Ｃが連動して点消灯するための２本の連動用信号線ＳＩＧ，ＧＮＤが各機器間に接続される。  
２本の信号線の一方は制御用マイコンのシリアル通信端子ＴＸ／ＲＸ端子に接続し、もう一方の信号線は機器のグランドラインに接続する。
【００５５】
親器、子器に存在する全てのマイコンの通信端子ＴＸ／ＲＸ端子とグランド間は直結されている。即ち、通信回線間に各機器のマイコンの通信機能が並列に接続された状態である。階段上り降りの人の動きは単純なケースで一人が昇るまたは降りるケースから複数の人間が殆ど同時に昇り降りする複雑なケースが生じる。  
この人の動きを把握して照明灯を制御するために、機器間には複雑な信号のやり取りが必要となる。  
この目的を達成する手段として、マイコンに備わっているＵＡＲＴのシリアルデータ伝送を利用する。この手段を利用することで、多量のデータを短時間で送受信可能である。
【００５６】
単純なケースでは、１人が階段を昇る時点で、親器Ａが人体検知したことを複数の子器と親器Ｂのマイコンの通信端子に点灯指令を送信する。子器と親器Ｂは点灯指令信号を受信して照明灯を点灯させる。階段を昇る人が２階の親器Ｂを通過した時点で親器Ｂは消灯信号を子器と親器Ａに送信する。消灯信号を受信した子器と親器Ａは照明灯を消灯する。このため、階段を昇る人の昇る速度で照明点灯時間が決定され、足の達い人の場合は短時間、足の遅い人だと長い時間、照明器具が点灯し、階段に人が存在する時間だけ照明灯が点灯することが実現でききる。
【００５７】
２人が一方は下から、もう一方は２階から殆ど同時に階段を利用した場合、上記の点灯、消灯のメカニズムだと、まだ、階段に２人が存在しているにも関わらず照明灯が消灯してしまうことになる。この不都合を無くするためには、１階と２階の親器の人体検知時間差を考慮した制御が必要となり、親器Ａ，Ｂ間では各親器からの人感検知確認信号以外に点灯指令、消灯指令の信号伝送が必要となる。ＵＡＲＴでのデータ伝送はマイコンのソースクロックの周波数によるが、４Ｍｈｚのクロックでも１９２００ボーの速度でデータ伝送可能なので、比較的多くの信号のやり取りが生じても実用上なんら支障はない。
【００５８】
本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１Ａ、１Ｂ…親器、１Ｃ…子器、２０…直流電源部、３０…照明部、３１…照明灯、３２…スイッチ部、４０…人感検知部、４１…人感センサ、５０…照度検知部、５１…照度センサ、６０…無線通信部、６１…無線モジュール、６１１…通信制御用マイコン、７０…制御部、７１ａ…タイマー部、７１…制御用マイコン。
【図１】
2015122216.tif 000003
【図２】
2015122216.tif 000004
【図３】
2015122216.tif 000005
【図４】
2015122216.tif 000006
【図５】
2015122216.tif 000007
【図６】
2015122216.tif 000008
【図７】
2015122216.tif 000009
【図８】
2015122216.tif 000010
【図９】
2015122216.tif 000011
【図１０】
2015122216.tif 000012